(57)【要約】本発明は、無線通信システムにおいて端末がダウンリンク制御チャネルを受信する方法及びそのための装置に関する。具体的に、無線通信システムにおいて端末がダウンリンク制御チャネルを受信する方法は、前記端末に割り当てられた少なくとも１つのリソースブロックのそれぞれを、既に設定された個数のサブセットに区別することと、前記少なくとも１つのリソースブロックのそれぞれにおいて前記端末のための１つ以上のサブセットを選択することと、前記選択されたサブセットの集合を前記端末のための検索領域と設定することと、前記検索領域に対してブラインドデコーディングを行って前記ダウンリンク制御チャネルを検出することと、を含み、前記既に設定された個数のサブセットのそれぞれは、前記それぞれのリソースブロック内で相互に異なったアンテナポートで定義される端末特定参照信号（ＤＭ−ＲＳ）によって復調されることを特徴とする。【選択図】図１０
2015507858.tif 000002
【特許請求の範囲】
【請求項１】
無線通信システムにおいて基地局がタウンリンク制御チャネルを送信する方法であって、
それぞれ異なったポートに関連付いた複数の向上した制御チャネル要素（ＥＮＨＡＮＣＥＤ  Ｃｏｎｔｒｏｌ  Ｃｈａｎｎｅｌ  Ｅｌｅｍｅｎｔｓ、ＥＣＣＥｓ）を少なくとも一つのリソースブロックに構成するステップと、
前記複数の向上した制御チャネル要素のうち、同一のアンテナポートに対応する一つ以上の向上した制御チャネル要素を用いてダウンリンク制御チャネルを送信するステップと、
を含む、ダウンリンク制御チャネル送信方法。
【請求項２】
前記同一のアンテナポートは、既に設定された４個のアンテナポートのいずれか一つであることを特徴とする、請求項１に記載のダウンリンク制御チャネル送信方法。
【請求項３】
前記アンテナポートは変調参照信号（Ｄｅｍｏｄｕｌａｔｉｏｎ  Ｒｅｆｅｒｅｎｃｅ  Ｓｉｇｎａｌ、ＤＭ−ＲＳ）と関連づくように設定されたことを特徴とする、請求項１に記載のダウンリンク制御チャネル送信方法。
【請求項４】
前記複数の向上した制御チャネル要素の個数は、アグリゲーションレベルによって決定されることを特徴とする、請求項１に記載のダウンリンク制御チャネル送信方法。
【請求項５】
無線通信システムにおいて基地局がタウンリンク制御チャネルを受信する方法であって、
ダウンリンク制御チャネルのための少なくとも一つのリソースブロックを構成するステップと、
一つ以上の向上した制御チャネル要素（Ｅｎｈａｎｃｅｄ  Ｃｏｎｔｒｏｌ  Ｃｈａｎｎｅｌ  Ｅｌｅｍｅｎｔｓ、ＥＣＣＥｓ）に基づく少なくとも一つのリソースブロックをモニタリングしてダウンリンク制御チャネルを受信するステップと、
を含み、
前記一つ以上の向上した制御チャネル要素は、単一のアンテナポートに関連付いていることを特徴とする、タウンリンク制御チャネル受信方法。
【請求項６】
前記単一のアンテナポートは、既に設定された４個のアンテナポートのいずれか一つであることを特徴とする、請求項５に記載のダウンリンク制御チャネル受信方法。
【請求項７】
前記アンテナポートは変調参照信号（Ｄｅｍｏｄｕｌａｔｉｏｎ  Ｒｅｆｅｒｅｎｃｅ  Ｓｉｇｎａｌ）と関連付くように設定されたことを特徴とする、請求項５に記載のダウンリンク制御チャネル受信方法。
【請求項８】
前記複数の向上した制御チャネル要素の個数は、アグリゲーションレベルによって決定されることを特徴とする、請求項５に記載のダウンリンク制御チャネル受信方法。
【発明の詳細な説明】
【技術分野】
【０００１】
本発明は、無線通信システムに係り、特に、無線通信システムにおいて端末がダウンリンク制御チャネルを受信する方法及びそのための装置に関する。
【背景技術】
【０００２】
本発明が適用され得る無線通信システムの一例として３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という）通信システムについて概略的に説明する。
【０００３】
図１は、無線通信システムの一例としてＥ−ＵＭＴＳ網構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進展したシステムで、現在３ＧＰＰで基礎的な標準化作業が行われている。一般に、Ｅ−ＵＭＴＳをＬＴＥ（Ｌｏｎｇ  Ｔｅｒｍ  Ｅｖｏｌｕｔｉｏｎ）システムと呼ぶこともできる。ＵＭＴＳ及びＥ−ＵＭＴＳの技術規格（ｔｅｃｈｎｉｃａｌ  ｓｐｅｃｉｆｉｃａｔｉｏｎ）の詳細な内容についてはそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  ｇｒｏｕｐ  Ｒａｄｉｏ  Ａｃｃｅｓｓ  Ｎｅｔｗｏｒｋ」のＲｅｌｅａｓｅ  ７及びＲｅｌｅａｓｅ  ８を参照すればよい。
【０００４】
図１を参照すると、Ｅ−ＵＭＴＳは、端末（Ｕｓｅｒ  Ｅｑｕｉｐｍｅｎｔ；ＵＥ）、基地局（ｅＮｏｄｅ  Ｂ；ｅＮＢ）、及びネットワーク（Ｅ−ＵＴＲＡＮ）の終端に位置して外部ネットワークと接続するアクセスゲートウェイ（Ａｃｃｅｓｓ  Ｇａｔｅｗａｙ；ＡＧ）を含んでいる。基地局は、ブロードキャストサービス、マルチキャストサービス及び／又はユニキャストサービスのために多重データストリームを同時に伝送すればよい。
【０００５】
１つの基地局には１つ以上のセルが存在する。セルは、１．４４、３、５、１０、１５、２０ＭＨｚなどの帯域幅のいずれか１つに設定され、複数の端末に下り又は上り伝送サービスを提供する。異なったセルは、相互に異なった帯域幅を提供するように設定されるとよい。基地局は複数の端末とのデータ送受信を制御する。ダウンリンク（Ｄｏｗｎｌｉｎｋ；ＤＬ）データについて、基地局は、ダウンリンクスケジューリング情報を伝送することで、該当の端末にデータが伝送される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、アップリンク（Ｕｐｌｉｎｋ；ＵＬ）データについて、基地局は、アップリンクスケジューリング情報を該当の端末に伝送することで、当該端末が使用可能な時間／周波数領域、符号化、データサイズ、ＨＡＲＱ関連情報などを知らせる。基地局同士の間にはユーザートラフィック又は制御トラフィックの伝送のためのインターフェースが使用されるとよい。コアネットワーク（Ｃｏｒｅ  Ｎｅｔｗｏｒｋ；ＣＮ）は、ＡＧ、及び端末のユーザー登録などのためのネットワークノードなどで構成されるとよい。ＡＧは、複数のセルで構成されるＴＡ（Ｔｒａｃｋｉｎｇ  Ａｒｅａ）単位で端末の移動性を管理する。
【０００６】
無線通信技術は、ＷＣＤＭＡ（登録商標）に基づいてＬＴＥまで開発されてきたが、ユーザーと事業者の要求と期待は増す一方である。その上、他の無線接続技術の開発も続いており、将来、競争力を持つためには新しい技術の進展が望まれる。ビット当たりコストの削減、サービス可用性の増大、融通性ある周波数バンドの使用、単純構造と開放型インターフェース、端末の適度なパワー消耗などが要求される。
【発明の概要】
【発明が解決しようとする課題】
【０００７】
本発明の目的は、無線通信システムにおいて端末がダウンリンク制御チャネルを受信する方法及びそのための装置を提供することにある。
【０００８】
本発明で達成しようとする技術的課題は、以上に言及している技術的課題に制限されるものではなく、言及していない別の技術的課題は、下の記載から、本発明の属する技術の分野における通常の知識を有する者には明確に理解されるだろう。
【課題を解決するための手段】
【０００９】
本発明の一様相である、無線通信システムにおいて端末がダウンリンク制御チャネルを受信する方法は、前記端末に割り当てられた少なくとも１つのリソースブロックのそれぞれを、既に設定された個数のサブセットに区別することと、前記少なくとも１つのリソースブロックのそれぞれにおいて前記端末のための１つ以上のサブセットを選択することと、前記選択されたサブセットの集合を前記端末のための検索領域（Ｓｅａｒｃｈ  Ｓｐａｃｅ）と設定することと、前記検索領域に対してブラインドデコーディング（Ｂｌｉｎｄ  Ｄｅｃｏｄｉｎｇ）を行い、前記ダウンリンク制御チャネルを検出することと、を含み、前記既に設定された個数のサブセットのそれぞれは、前記それぞれのリソースブロック内で相互に異なったアンテナポートで定義される端末特定参照信号（ＤＭ−ＲＳ）によって復調されることを特徴とする。
【００１０】
なお、前記選択されたサブセットの集合は、同一のアンテナポートによって定義される端末特定参照信号によって復調されるサブセットで構成されてもよく、前記端末のために複数の相互に異なったアンテナポートで定義される端末特定参照信号によって復調されるサブセットで構成されてもよい。
【００１１】
なお、前記ダウンリンク制御チャネルのアグリゲーションレベルは、１又は２であることを特徴とする。
【発明の効果】
【００１２】
本発明によれば、無線通信システムにおいて基地局は複数の端末（ＵＥ）に対するダウンリンク制御チャネルを效率よく割り当てることができ、端末は、ダウンリンク制御チャネルを效率よく受信することができる。
【００１３】
本発明で得られる効果は、以上で言及した効果に制限されず、言及していない別の効果は、下の記載から、本発明の属する技術の分野における通常の知識を有する者には明確に理解されるだろう。
【図面の簡単な説明】
【００１４】
本明細書に添付している図面は、本発明に関する理解を提供するためのもので、本発明の様々な実施の形態を示し、明細書の記載と共に本発明の原理を説明するためのものである。
【図１】無線通信システムの一例である３ＧＰＰ  ＬＴＥシステムに用いられる物理チャネル及びこれらの物理チャネルを用いた一般の信号伝送方法を例示する図である。
【図２】３ＧＰＰ無線接続網規格に基づく端末とＥ−ＵＴＲＡＮとの間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザープレーン（Ｕｓｅｒ  Ｐｌａｎｅ）の構造を示す図である。
【図３】３ＧＰＰシステムに用いられる物理チャネル及びこれらの物理チャネルを用いた一般の信号伝送方法を説明するための図である。
【図４】多重アンテナ通信システムの構成図である。
【図５】ＬＴＥシステムで用いられるダウンリンク無線フレームの構造を例示する図である。
【図６】ＬＴＥシステムにおいてダウンリンク制御チャネルを構成するのに用いられるリソース単位を示す図である。
【図７】次世代通信システムにおいて多重ノードシステムを例示する図である。
【図８】Ｅ−ＰＤＣＣＨ、及びＥ−ＰＤＣＣＨによってスケジューリングされるＰＤＳＣＨを例示する図である。
【図９】本発明の実施例に係るＥ−ＰＤＣＣＨのアグリゲーションレベル（Ａｇｇｒｅｇａｔｉｏｎ  ｌｅｖｅｌ）の概念を説明するための図である。
【図１０】本発明の一実施例に係る少なくとも１つのＰＲＢ内で特定端末参照信号に対応するサブセットを検索領域として設定することを説明するための図である。
【図１１】本発明の一実施例に係る少なくとも１つのＰＲＢ内で特定端末参照信号に対応するサブセットを検索領域として設定することを説明するための図である。
【図１２】本発明の一実施例によってアグリゲーションレベルに基づいて端末で構成する検索領域（Ｓｅａｒｃｈ  Ｓｐａｃｅ）を説明するための参考図である。
【図１３】本発明の実施例に適用可能な基地局及び端末を例示する図である。
【発明を実施するための形態】
【００１５】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに使用可能である。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で実現されている。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術で実現されている。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術で実現されている。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（ｌｏｎｇ  ｔｅｒｍ  ｅｖｏｌｕｔｉｏｎ）は、Ｅ−ＵＴＲＡを使用するＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（Ａｄｖａｎｃｅｄ）は３ＧＰＰ  ＬＴＥの進展したバージョンである。
【００１６】
以下では、説明を明確にするために、３ＧＰＰ  ＬＴＥ／ＬＴＥ−Ａを中心にして述べるが、本発明の技術的思想がこれに制限されるわけではない。また、以下の説明で使われる特定用語は、本発明の理解を助けるために提供されるもので、本発明の技術的思想から逸脱しない範囲で別の形態に変更されてもよい。
【００１７】
無線通信システムにおいて、ユーザー機器は基地局からダウンリンク（Ｄｏｗｎｌｉｎｋ、ＤＬ）で情報を受信し、ユーザー機器は基地局にアップリンク（Ｕｐｌｉｎｋ、ＵＬ）で情報を伝送する。基地局とユーザー機器とが送受信する情報としてはデータ及び種々の制御情報があり、これら送受信される情報の種類／用途によって様々な物理チャネルが存在する。
【００１８】
図２は、３ＧＰＰ無線接続網規格に基づく端末とＥ−ＵＴＲＡＮ間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザープレーン（Ｕｓｅｒ  Ｐｌａｎｅ）の構造を示す図である。コントロールプレーンは、端末（Ｕｓｅｒ  Ｅｑｕｉｐｍｅｎｔ；ＵＥ）及びネットワークが呼を管理するために用いる制御メッセージが伝送される通路を意味する。ユーザープレーンは、アプリケーション層で生成されたデータ、例えば、音声データ又はインターネットパケットデータなどが伝送される通路を意味する。
【００１９】
第１の層である物理層は、物理チャネル（Ｐｈｙｓｉｃａｌ  Ｃｈａｎｎｅｌ）を用いて上位層に情報伝送サービス（Ｉｎｆｏｒｍａｔｉｏｎ  Ｔｒａｎｓｆｅｒ  Ｓｅｒｖｉｃｅ）を提供する。物理層は、上位に在る媒体接続制御（Ｍｅｄｉｕｍ  Ａｃｃｅｓｓ  Ｃｏｎｔｒｏｌ）層とは伝送チャネル（Ｔｒａｎｓｐｏｒｔ  Ｃｈａｎｎｅｌ）を介して接続されている。該伝送チャネルを介して媒体接続制御層と物理層間にデータが移動する。送信側の物理層と受信側の物理層との間には物理チャネルを介してデータが移動する。該物理チャネルは時間と周波数を無線リソースとして用いる。具体的に、物理チャネルは、ダウンリンクではＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、アップリンクではＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００２０】
第２の層の媒体接続制御（Ｍｅｄｉｕｍ  Ａｃｃｅｓｓ  Ｃｏｎｔｒｏｌ；ＭＡＣ）層は論理チャネル（Ｌｏｇｉｃａｌ  Ｃｈａｎｎｅｌ）を用いて上位層である無線リンク制御（Ｒａｄｉｏ  Ｌｉｎｋ  Ｃｏｎｔｒｏｌ；ＲＬＣ）層にサービスを提供する。第２の層のＲＬＣ層は信頼性あるデータ伝送を支援する。ＲＬＣ層の機能は、ＭＡＣ内部の機能ブロックとしてもよい。第２の層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰｖ４やＩＰｖ６のようなＩＰパケットを效率的に伝送するために余計な制御情報を減らすヘッダー圧縮（Ｈｅａｄｅｒ  Ｃｏｍｐｒｅｓｓｉｏｎ）機能を果たす。
【００２１】
第３の層の最下部に位置している無線リソース制御（Ｒａｄｉｏ  Ｒｅｓｏｕｒｃｅ  Ｃｏｎｔｒｏｌ；ＲＲＣ）層は、コントロールプレーンにのみ定義される。ＲＲＣ層は無線ベアラー（Ｒａｄｉｏ  Ｂｅａｒｅｒ；ＲＢ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）と関連して論理チャネル、伝送チャネル及び物理チャネルの制御を担当する。ＲＢは、端末とネットワークとの間のデータ伝達のために第２の層により提供されるサービスのことを意味する。そのために、端末のＲＲＣ層とネットワークのＲＲＣ層は互いにＲＲＣメッセージを交換する。端末とネットワークのＲＲＣ層間にＲＲＣ接続（ＲＲＣ  Ｃｏｎｎｅｃｔｅｄ）がある場合に、端末はＲＲＣ接続状態（Ｃｏｎｎｅｃｔｅｄ  Ｍｏｄｅ）にあるようになり、そうでない場合は、ＲＲＣ休止状態（Ｉｄｌｅ  Ｍｏｄｅ）にあるようになる。ＲＲＣ層の上位に在るＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）や移動性管理（Ｍｏｂｉｌｉｔｙ  Ｍａｎａｇｅｍｅｎｔ）などの機能を果たす。
【００２２】
基地局（ｅＮＢ）を構成する１つのセルは、１．４、３、５、１０、１５、２０ＭＨｚなどの帯域幅のいずれか１つに設定され、複数の端末に下り又は上り伝送サービスを提供する。異なったセルは、相互に異なった帯域幅を提供するように設定されるとよい。
【００２３】
ネットワークから端末にデータを伝送する下り伝送チャネルは、システム情報を伝送するＢＣＨ（Ｂｒｏａｄｃａｓｔ  Ｃｈａｎｎｅｌ）、ページングメッセージを伝送するＰＣＨ（Ｐａｇｉｎｇ  Ｃｈａｎｎｅｌ）、ユーザートラフィックや制御メッセージを伝送する下りＳＣＨ（Ｓｈａｒｅｄ  Ｃｈａｎｎｅｌ）などがある。下りマルチキャスト又は放送サービスのトラフィック又は制御メッセージは、下りＳＣＨを介して伝送されてもよく、又は、別の下りＭＣＨ（Ｍｕｌｔｉｃａｓｔ  Ｃｈａｎｎｅｌ）を介して伝送されてもよい。一方、端末からネットワークにデータを伝送する上り伝送チャネルには、初期制御メッセージを伝送するＲＡＣＨ（Ｒａｎｄｏｍ  Ａｃｃｅｓｓ  Ｃｈａｎｎｅｌ）、ユーザートラフィックや制御メッセージを伝送する上りＳＣＨ（Ｓｈａｒｅｄ  Ｃｈａｎｎｅｌ）がある。伝送チャネルの上位にあり、伝送チャネルにマッピングされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００２４】
図３は、３ＧＰＰ  ＬＴＥシステムに用いられる物理チャネルら及びこれらのチャネルを用いた一般の信号伝送方法を説明するための図である。
【００２５】
電源が消えた状態で電源がついたり、新しくセルに進入したりしたユーザー機器は、段階Ｓ３０１で、基地局と同期を取る等の初期セル探索（Ｉｎｉｔｉａｌ  ｃｅｌｌ  ｓｅａｒｃｈ）作業を行う。そのために、ユーザー機器は基地局からプライマリ同期チャネル（Ｐｒｉｍａｒｙ  Ｓｙｎｃｈｒｏｎｉｚａｔｉｏｎ  Ｃｈａｎｎｅｌ、Ｐ−ＳＣＨ）及びセカンダリ同期チャネル（Ｓｅｃｏｎｄａｒｙ  Ｓｙｎｃｈｒｏｎｉｚａｔｉｏｎ  Ｃｈａｎｎｅｌ、Ｓ−ＳＣＨ）を受信して基地局と同期を取り、セルＩＤなどの情報を獲得する。その後、ユーザー機器は基地局から物理放送チャネル（Ｐｈｙｓｉｃａｌ  Ｂｒｏａｄｃａｓｔ  Ｃｈａｎｎｅｌ）を受信してセル内の放送情報を獲得すればよい。一方、ユーザー機器は初期セル探索段階でダウンリンク参照信号（Ｄｏｗｎｌｉｎｋ  Ｒｅｆｅｒｅｎｃｅ  Ｓｉｇｎａｌ、ＤＬ  ＲＳ）を受信してダウンリンクチャネル状態を確認すればよい。
【００２６】
初期セル探索を終えたユーザー機器は、段階Ｓ３０２で、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）、及び物理ダウンリンク制御チャネル情報に基づく物理ダウンリンク共有チャネル（Ｐｈｙｓｉｃａｌ  Ｄｏｗｎｌｉｎｋ  Ｃｏｎｔｒｏｌ  Ｃｈａｎｎｅｌ、ＰＤＳＣＨ）を受信して、より具体的なシステム情報を獲得すればよい。
【００２７】
その後、ユーザー機器は基地局への接続を完了するために、段階Ｓ３０３乃至段階Ｓ３０６のようなランダムアクセス手順（Ｒａｎｄｏｍ  Ａｃｃｅｓｓ  Ｐｒｏｃｅｄｕｒｅ）を行うとよい。そのために、ユーザー機器は物理任意接続チャネル（Ｐｈｙｓｉｃａｌ  Ｒａｎｄｏｍ  Ａｃｃｅｓｓ  Ｃｈａｎｎｅｌ、ＰＲＡＣＨ）を介してプリアンブル（ｐｒｅａｍｂｌｅ）を伝送し（Ｓ３０３）、物理ダウンリンク制御チャネル及びこれに対応する物理ダウンリンク共有チャネルを介してプリアンブルに対する応答メッセージを受信すればよい（Ｓ３０４）。競合ベースのランダムアクセスでは、追加の物理ランダムアクセスチャネルの伝送（Ｓ３０５）、及び物理ダウンリンク制御チャネル及びこれに対応する物理ダウンリンク共有チャネルの受信（Ｓ３０６）のような衝突解決手順（Ｃｏｎｔｅｎｔｉｏｎ  Ｒｅｓｏｌｕｔｉｏｎ  Ｐｒｏｃｅｄｕｒｅ）を行えばよい。
【００２８】
上述したような手順を行ったユーザー機器は、その後、一般の上り／下り信号伝送手順として、物理ダウンリンク制御チャネル／物理ダウンリンク共有チャネルの受信（Ｓ３０７）、及び物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）／物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）の伝送（Ｓ３０８）を行うとよい。ユーザー機器が基地局に伝送する制御情報を総称してアップリンク制御情報（Ｕｐｌｉｎｋ  Ｃｏｎｔｒｏｌ  Ｉｎｆｏｒｍａｔｉｏｎ、ＵＣＩ）という。ＵＣＩは、ＨＡＲＱ  ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＳＩ（Ｃｈａｎｎｅｌ  Ｓｔａｔｅ  Ｉｎｆｏｒｍａｔｉｏｎ）などを含む。本明細書において、ＨＡＲＱ  ＡＣＫ／ＮＡＣＫは簡略に、ＨＡＲＱ−ＡＣＫ或いはＡＣＫ／ＮＡＣＫ（Ａ／Ｎ）と呼ぶ。ＨＡＲＱ−ＡＣＫは、ポジティブＡＣＫ（簡略に、ＡＣＫ）、ネガティブＡＣＫ（簡略に、ＮＡＣＫ）、ＤＴＸ及びＮＡＣＫ／ＤＴＸの少なくとも１つを含む。ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｉｏｎ）などを含む。ＵＣＩは、一般にＰＵＣＣＨを介して伝送されるが、制御情報とトラフィックデータが同時に伝送されるべき場合にはＰＵＳＣＨを介して伝送されることもある。また、ネットワークの要請／指示に応じてＰＵＳＣＨを介してしＵＣＩを非周期的に伝送してもよい。
【００２９】
以下、ＭＩＭＯシステムについて説明する。ＭＩＭＯ（Ｍｕｌｔｉｐｌｅ−Ｉｎｐｕｔ  Ｍｕｌｔｉｐｌｅ−Ｏｕｔｐｕｔ）は、複数個の送信アンテナと複数個の受信アンテナを使用する方法であり、この方法によりデータの送受信効率を向上させることができる。すなわち、無線通信システムの送信端或いは受信端で複数個のアンテナを使用することによって、容量を増大させ、性能を向上させることができる。以下、本文献においてＭＩＭＯを「多重アンテナ」と呼ぶこともある。
【００３０】
多重アンテナ技術では、１つの全体メッセージを受信するために、単一アンテナ経路に依存せず、複数のアンテナから受信したデータ断片（ｆｒａｇｍｅｎｔ）を１つに併合することでデータを完成する。多重アンテナ技術を用いると、特定したサイズのセル領域内でデータ伝送速度を向上させること、又は、特定データ伝送速度を保障しながらシステムカバレッジ（ｃｏｖｅｒａｇｅ）を増加させること、が可能である。また、この技術は移動通信端末及び中継機などに幅広く用いることができる。多重アンテナ技術によれば、単一アンテナを用いる従来技術による移動通信における伝送量の限界を克服することができる。
【００３１】
本発明で説明する多重アンテナ（ＭＩＭＯ）通信システムの構成図が、図４に示されている。送信端にはＮＴ個の送信アンテナが設けられており、受信端にはＮＲ個の受信アンテナが設けられている。このように、送信端及び受信端の両方が複数個のアンテナを用いる場合が、送信端又は受信端のいずれか一方でのみ複数個のアンテナを用いる場合に比べて、理論的なチャネル伝送容量が増加する。チャネル伝送容量の増加はアンテナの数に比例する。したがって、伝送レートが向上し、周波数効率が向上する。１つのアンテナを用いる場合における最大伝送レートをＲｏとすると、多重アンテナを用いる時の伝送レートは、理論的に、下記の式１のように、最大伝送レートＲｏにレート増加率Ｒｉをかけた分だけ増加することが可能である。ここで、Ｒｉは、ＮＴ及びＮＲのうち小さい値である。
【００３２】
【数１】
2015507858.tif 000003
例えば、４個の送信アンテナ及び４個の受信アンテナを用いるＭＩＭＯ通信システムでは、単一アンテナシステムに比べて理論上、４倍の伝送レートを獲得することができる。このような多重アンテナシステムの理論的容量増加が９０年代半ばに証明されて以来、実質的にデータ伝送率を向上させるための種々の技術が現在も活発に研究されており、そのいくつかの技術は既に３世代移動通信及び次世代無線ＬＡＮなどの様々な無線通信の標準に反映されている。
【００３３】
現在までの多重アンテナ関連研究動向を見ると、様々なチャネル環境及び多重接続環境における多重アンテナ通信容量計算などに関連した情報理論側面の研究、多重アンテナシステムの無線チャネル測定及び模型導出の研究、そして伝送信頼度の向上及び伝送率の向上のための時空間信号処理技術の研究など、様々な観点から活発な研究が行われている。
【００３４】
多重アンテナシステムにおける通信方法をより具体的に説明するためにこれを数学的にモデリングすると、次のように示すことができる。図４に示すように、ＮＴ個の送信アンテナとＮＲ個の受信アンテナが存在するとする。まず、送信信号については、ＮＴ個の送信アンテナがある場合に、最大伝送可能な情報はＮＴ個であるから、伝送情報を下記の式２のようなベクトルで表すことができる。
【００３５】
【数２】
2015507858.tif 000004
一方、それぞれの伝送情報
【００３６】
【化１】
2015507858.tif 000005
に対して伝送電力を相互に異ならせてもよく、このとき、それぞれの伝送電力を
【００３７】
【化２】
2015507858.tif 000006
とすれば、伝送電力の調整された伝送情報は、下記の式３のようにベクトルで表すことができる。
【００３８】
【数３】
2015507858.tif 000007
また、
【００３９】
【化３】
2015507858.tif 000008
を伝送電力の対角行列Ｐを用いて式４のように表すことができる。
【００４０】
【数４】
2015507858.tif 000009
一方、伝送電力の調整された情報ベクトル
【００４１】
【化４】
2015507858.tif 000010
に重み行列Ｗが適用されて、実際に伝送されるＮＴ個の送信信号（ｔｒａｎｓｍｉｔｔｅｄ  ｓｉｇｎａｌ）
【００４２】
【化５】
2015507858.tif 000011
が構成される場合を考慮してみる。ここで、重み行列は、伝送情報を伝送チャネル状況などに応じて各アンテナに適宜分配する役割を果たす。このような送信信号
【００４３】
【化６】
2015507858.tif 000012
はベクトルｘを用いて下記の式５のように表すことができる。ここで、
【００４４】
【化７】
2015507858.tif 000013
の重み値を意味する。
【００４５】
【化８】
2015507858.tif 000014
重み行列（Ｗｅｉｇｈｔ  Ｍａｔｒｉｘ）又はプリコーディング行列（Ｐｒｅｃｏｄｉｎｇ  Ｍａｔｒｉｘ）と呼ばれる。
【００４６】
【数５】
2015507858.tif 000015
一般に、チャネル行列のランクの物理的な意味は、与えられたチャネルで互いに異なる情報を送りうる最大数ということができる。したがって、チャネル行列のランク（ｒａｎｋ）は、互いに独立している（ｉｎｄｅｐｅｎｄｅｎｔ）行（ｒｏｗ）又は列（ｃｏｌｕｍｎ）の個数のうち、最小の個数と定義されるので、行列のランクは、行（ｒｏｗ）又は列（ｃｏｌｕｍｎ）の個数より大きくなることはない。数式的に例示すると、チャネル行列Ｈのランクｒａｎｋ（Ｈ）は、式６のように制限される。
【００４７】
【数６】
2015507858.tif 000016
また、多重アンテナ技術を用いて送る互いに異なる情報のそれぞれを、「伝送ストリーム（Ｓｔｒｅａｍ）」又は簡単に「ストリーム」と定義するとする。このような「ストリーム」を「レイヤ（Ｌａｙｅｒ）」と呼ばれることもある。そのため、伝送ストリームの個数は、当然ながら、互いに異なる情報を送りうる最大数であるチャネルのランクより大きくなることはない。したがって、チャネル行列Ｈは、下記の式７のように表すことができる。
【００４８】
【数７】
2015507858.tif 000017
ここで、「＃  ｏｆ  ｓｔｒｅａｍｓ」は、ストリームの数を表す。一方、ここで、１つのストリームは１つ以上のアンテナを通じて伝送可能であるという点に注意されたい。
【００４９】
１つ以上のストリームを複数個のアンテナに対応付ける方法には、様々なものがある。該方法は、多重アンテナ技術の種類によって区別すると、次のようである。１個のストリームが複数のアンテナを経て伝送される場合は空間ダイバーシティ方式であり、複数のストリームが複数のアンテナを経て伝送される場合は空間マルチプレクシング方式であるといえる。もちろん、その中間形態である、空間ダイバーシティと空間マルチプレクシングとを混合（Ｈｙｂｒｉｄ）した形態も可能である。
【００５０】
図５は、ダウンリンク無線フレームにおいて１つのサブフレームの制御領域に含まれる制御チャネルを示す図である。
【００５１】
図５を参照すると、サブフレームは、１４個のＯＦＤＭシンボルで構成されている。サブフレーム設定によって、先頭の１〜３個のＯＦＤＭシンボルは制御領域として用いられ、残り１３〜１１個のＯＦＤＭシンボルはデータ領域として用いられる。同図で、Ｒ１〜Ｒ４は、アンテナ０〜３に対する参照信号（Ｒｅｆｅｒｅｎｃｅ  Ｓｉｇｎａｌ（ＲＳ）又はＰｉｌｏｔ  Ｓｉｇｎａｌ）を表す。ＲＳは、制御領域及びデータ領域を問わず、サブフレーム内に一定のパターンで固定される。制御チャネルは、制御領域においてＲＳの割り当てられていないリソースに割り当てられ、トラフィックチャネルも同様、データ領域においてＲＳの割り当てられていないリソースに割り当てられる。制御領域に割り当てられる制御チャネルには、ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  ＣＨａｎｎｅｌ）、ＰＤＣＣＨ（Ｐｈｙｓｉｃａｌ  Ｄｏｗｎｌｉｎｋ  Ｃｏｎｔｒｏｌ  ＣＨａｎｎｅｌ）などがある。
【００５２】
ＰＣＦＩＣＨは、物理制御フォーマット指示子チャネルで、毎サブフレームごとにＰＤＣＣＨに用いられるＯＦＤＭシンボルの個数を端末に知らせる。ＰＣＦＩＣＨは、最初のＯＦＤＭシンボルに位置し、ＰＨＩＣＨ及びＰＤＣＣＨに優先して設定される。ＰＣＦＩＣＨは、４個のＲＥＧ（Ｒｅｓｏｕｒｃｅ  Ｅｌｅｍｅｎｔ  Ｇｒｏｕｐ）で構成され、それぞれのＲＥＧは、セルＩＤ（Ｃｅｌｌ  ＩＤｅｎｔｉｔｙ）に基づいて制御領域内に分散される。１つのＲＥＧは４個のＲＥ（Ｒｅｓｏｕｒｃｅ  Ｅｌｅｍｅｎｔ）で構成される。ＲＥとは、１副搬送波×１  ＯＦＤＭシンボルと定義される最小物理リソースのことを指す。ＰＣＦＩＣＨ値は、帯域幅によって１〜３又は２〜４の値を指示し、ＱＰＳＫ（Ｑｕａｄｒａｔｕｒｅ  Ｐｈａｓｅ  Ｓｈｉｆｔ  Ｋｅｙｉｎｇ）で変調される。
【００５３】
ＰＨＩＣＨは、物理ＨＡＲＱ（Ｈｙｂｒｉｄ−Ａｕｔｏｍａｔｉｃ  Ｒｅｐｅａｔ  ａｎｄ  ｒｅｑｕｅｓｔ）指示子チャネルで、アップリンク伝送に対するＨＡＲＱ  ＡＣＫ／ＮＡＣＫを運ぶのに用いられる。すなわち、ＰＨＩＣＨは、ＵＬ  ＨＡＲＱのためのＤＬ  ＡＣＫ／ＮＡＣＫ情報が伝送されるチャネルのことを指す。ＰＨＩＣＨは、１個のＲＥＧで構成され、セル特定（ｃｅｌｌ−ｓｐｅｃｉｆｉｃ）にスクランブル（ｓｃｒａｍｂｌｉｎｇ）される。ＡＣＫ／ＮＡＣＫは、１ビットで指示され、ＢＰＳＫ（Ｂｉｎａｒｙ  ｐｈａｓｅ  ｓｈｉｆｔ  ｋｅｙｉｎｇ）で変調される。変調されたＡＣＫ／ＮＡＣＫは、拡散因子（Ｓｐｒｅａｄｉｎｇ  Ｆａｃｔｏｒ；ＳＦ）＝２又は４で拡散される。同一のリソースにマッピングされる複数のＰＨＩＣＨは、ＰＨＩＣＨグループを構成する。ＰＨＩＣＨグループに多重化されるＰＨＩＣＨの個数は、拡散コードの個数によって決定される。ＰＨＩＣＨ（グループ）は、周波数領域及び／又は時間領域でダイバーシティ利得を得るために３回反復（ｒｅｐｅｔｉｔｉｏｎ）される。
【００５４】
ＰＤＣＣＨは、物理ダウンリンク制御チャネルで、サブフレームの先頭ｎ個のＯＦＤＭシンボルに割り当てられる。ここで、ｎは、１以上の整数であり、ＰＣＦＩＣＨにより指示される。ＰＤＣＣＨは１つ以上のＣＣＥで構成される。ＰＤＣＣＨは、伝送チャネルであるＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）のリソース割当に関連した情報、アップリンクスケジューリンググラント（Ｕｐｌｉｎｋ  Ｓｃｈｅｄｕｌｉｎｇ  Ｇｒａｎｔ）、ＨＡＲＱ情報などを、各端末又は端末グループに知らせる。ＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）はＰＤＳＣＨを介して伝送される。したがって、基地局と端末は、一般的に、特定の制御情報又は特定のサービスデータ以外はＰＤＳＣＨを介してデータをそれぞれ伝送及び受信する。
【００５５】
ＰＤＳＣＨのデータがどの端末（１つ又は複数の端末）に伝送されるのか、該端末がどのようにＰＤＳＣＨデータを受信してデコーディング（ｄｅｃｏｄｉｎｇ）をすべきかに関する情報などがＰＤＣＣＨに含まれて伝送される。例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣマスキング（ｍａｓｋｉｎｇ）されており、「Ｂ」という無線リソース（例、周波数位置）及び「Ｃ」という伝送形式情報（例、伝送ブロックサイズ、変調方式、コーディング情報など）を用いて伝送されるデータに関する情報が、特定サブフレームで伝送されるとする。この場合、セル内の端末は、自身が持っているＲＮＴＩ情報を用いてＰＤＣＣＨをモニタリングし、「Ａ」のＲＮＴＩを持っている１つ以上の端末があると、該端末はＰＤＣＣＨを受信し、受信したＰＤＣＣＨの情報に基づいて「Ｂ」と「Ｃ」により指示されるＰＤＳＣＨを受信する。
【００５６】
図６は、ＬＴＥシステムにおいてダウンリンク制御チャネルを構成するのに使用されるリソース単位を示す図である。特に、図６の（ａ）は、基地局の送信アンテナの個数が１又は２である場合を示し、図６の（ｂ）は、基地局の送信アンテナの個数が４である場合を示す。送信アンテナの個数によってＲＳ（Ｒｅｆｅｒｅｎｃｅ  Ｓｉｇｎａｌ）パターンが異なるだけで、制御チャネルに関連したリソース単位の設定方法は同一である。
【００５７】
図６を参照すると、ダウンリンク制御チャネルの基本リソース単位はＲＥＧ（Ｒｅｓｏｕｒｃｅ  Ｅｌｅｍｅｎｔ  Ｇｒｏｕｐ）である。ＲＥＧは、ＲＳを除外した状態で４個の隣接したリソース要素（ＲＥ）で構成される。同図でＲＥＧは太線で示されている。ＰＣＦＩＣＨ及びＰＨＩＣＨは、それぞれ、４個のＲＥＧ及び３個のＲＥＧを含む。ＰＤＣＣＨはＣＣＥ（Ｃｏｎｔｒｏｌ  Ｃｈａｎｎｅｌ  Ｅｌｅｍｅｎｔｓ）単位で構成され、１個のＣＣＥは９個のＲＥＧを含む。
【００５８】
端末はＬ個のＣＣＥで構成されたＰＤＣＣＨが自身に伝送されるかを確認するために、Ｍ（Ｌ）（≧Ｌ）個の連続して配置されたり特定の規則で配置されたＣＣＥを確認するように設定される。端末がＰＤＣＣＨ受信のために考慮すべきＬ値は複数であってもよい。端末がＰＤＣＣＨの受信のために確認すべきＣＣＥ集合を検索領域（ｓｅａｒｃｈ  ｓｐａｃｅ）と呼ぶ。一例として、ＬＴＥシステムは検索領域を表１のように定義している。
【００５９】
【表１】
2015507858.tif 000018
ここで、ＣＣＥアグリゲーションレベルＬは、ＰＤＣＣＨを構成するＣＣＥ個数を表し、Ｓｋ（Ｌ）は、ＣＣＥアグリゲーションレベルＬの検索領域を表し、Ｍ（Ｌ）は、アグリゲーションレベルＬの検索領域でモニタリングすべき候補ＰＤＣＣＨの個数を表す。
【００６０】
検索領域は、特定端末に対してのみ接近が許容される端末特定検索領域（ＵＥ−ｓｐｅｃｉｆｉｃ  ｓｅａｒｃｈ  ｓｐａｃｅ）と、セル内の全ての端末に対して接近が許容される共通検索領域（ｃｏｍｍｏｎ  ｓｅａｒｃｈ  ｓｐａｃｅ）とに区別されるとよい。端末は、ＣＣＥアグリゲーションレベルが４及び８である共通検索領域をモニタし、ＣＣＥアグリゲーションレベルが１、２、４及び８である端末−特定検索領域をモニタする。共通検索領域及び端末特定検索領域はオーバーラップされてもよい。
【００６１】
また、各ＣＣＥアグリゲーションレベル値に対して任意の端末に与えられるＰＤＣＣＨ検索領域において最初の（最小のインデックスを有している）ＣＣＥの位置は、端末ごとに毎サブフレームで変化する。これをＰＤＣＣＨ検索領域ハッシュ（ｈａｓｈｉｎｇ）という。
【００６２】
上記ＣＣＥはシステム帯域に分散されてもよい。より具体的に、論理的に連続している複数のＣＣＥがインターリーバー（ｉｎｔｅｒｌｅａｖｅｒ）に入力されることがあり、該インターリーバーは、入力された複数のＣＣＥをＲＥＧ単位に混合する機能を果たす。そのため、１つのＣＣＥを構成する周波数／時間リソースは物理的にサブフレームの制御領域内で全体の周波数／時間領域に分散して分布する。その結果、制御チャネルはＣＣＥ単位で構成されるが、インターリービングはＲＥＧ単位に行われるため、周波数ダイバーシティ（ｄｉｖｅｒｓｉｔｙ）と干渉ランダム化（ｉｎｔｅｒｆｅｒｅｎｃｅ  ｒａｎｄｏｍｉｚａｔｉｏｎ）利得を最大化することができる。
【００６３】
現在の無線通信環境は、Ｍ２Ｍ（Ｍａｃｈｉｎｅ−ｔｏ−Ｍａｃｈｉｎｅ）通信及び高いデータ伝送量を要求する様々なデバイスの出現及び普及から、セルラー網に対するデータ要求量が急増している。高いデータ要求量を満たすために、通信技術は、より多い周波数帯域を效率的に使用するためのキャリアアグリゲーション（ｃａｒｒｉｅｒ  ａｇｇｒｅｇａｔｉｏｎ）技術など、及び限定された周波数内でデータ容量を高めるための多重アンテナ技術及び多重基地局協調技術などへと発展しており、通信環境は、ユーザーの周辺にアクセスできるノードの密度が高まる方向に進展している。このような高い密度のノードを備えたシステムは、ノード同士の協調により、より高いシステム性能を発揮することができる。このような方式は、各ノードが独立した基地局（Ｂａｓｅ  Ｓｔａｔｉｏｎ（ＢＳ）、Ａｄｖａｎｃｅｄ  ＢＳ（ＡＢＳ）、Ｎｏｄｅ−Ｂ（ＮＢ）、ｅＮｏｄｅ−Ｂ（ｅＮＢ）、Ａｃｃｅｓｓ  Ｐｏｉｎｔ（ＡＰ）など）として動作することから相互協調しない時に比べて遥かに優れた性能を呈する。
【００６４】
図７は、次世代通信システムにおいて多重ノードシステムを例示する図である。
【００６５】
図７を参照すると、全てのノードが１つのコントローラにより送受信が管理され、個別ノードが１つのセルの一部アンテナ集団のように動作をするとすれば、このシステムは、１つのセルを形成する分散多重ノードシステム（ｄｉｓｔｒｉｂｕｔｅｄ  ｍｕｌｔｉ  ｎｏｄｅ  ｓｙｓｔｅｍ；ＤＭＮＳ）ということができる。このとき、各ノードは、別個のＮｏｄｅ  ＩＤが与えられてもよく、別個のＮｏｄｅ  ＩＤ無しでセル内の一部アンテナのように動作してもよい。しかし、これらノードが相互に異なったセル識別子（Ｃｅｌｌ  ｉｄｅｎｔｉｆｉｅｒ；ＩＤ）を有すると、これは多重セルシステムといえばよい。このような多重セルがカバレッジによって重畳形態で構成されると、これを多重ティアネットワーク（ｍｕｌｔｉ−ｔｉｅｒ  ｎｅｔｗｏｒｋ）と呼ぶ。
【００６６】
一方、Ｎｏｄｅ−Ｂ、ｅＮｏｄｅ−Ｂ、ＰｅＮＢ、ＨｅＮＢ、ＲＲＨ（Ｒｅｍｏｔｅ  Ｒａｄｉｏ  Ｈｅａｄ）、リレー及び分散アンテナなどをノードとすればよく、１つのノードには少なくとも１つのアンテナが設置される。ノードは伝送ポイント（Ｔｒａｎｓｍｉｓｓｉｏｎ  Ｐｏｉｎｔ）と呼ばれることもある。ノード（ｎｏｄｅ）は、通常、一定の間隔以上離隔しているアンテナグループのことを指すが、本発明ではノードを間隔にかかわらず任意のアンテナグループと定義しても適用可能である。
【００６７】
上述した多重ノードシステム及びリレーノードの導入により、様々な通信手法の適用が可能になり、チャネル品質の改善が図られるが、前述したＭＩＭＯ手法及びセル間協調通信手法を多重ノード環境に適用するには、新しい制御チャネルの導入が望まれる。この新しい制御チャネルとして考慮されているのがＥ−ＰＤＣＣＨ（Ｅｎｈａｎｃｅｄ−ＰＤＣＣＨ）であり、該チャネルは、既存の制御領域（以下、ＰＤＣＣＨ領域）ではなくデータ領域（以下、ＰＤＳＣＨ領域という）に割り当てることが決定された。結論的に、このようなＥ−ＰＤＣＣＨを介して各端末別にノードに関する制御情報を伝送することが可能になり、既存のＰＤＣＣＨ領域が足りなくなる恐れも解決することができる。参考として、Ｅ−ＰＤＣＣＨは既存のレガシー端末には提供されず、ＬＴＥ−Ａ端末のみが受信可能である。
【００６８】
図８は、Ｅ−ＰＤＣＣＨ、及びＥ−ＰＤＣＣＨによってスケジューリングされるＰＤＳＣＨを例示する図である。
【００６９】
図８を参照すると、Ｅ−ＰＤＣＣＨとしては、一般に、データを伝送するＰＤＳＣＨ領域の一部分を定義して使用すればよく、端末は、自身のＥ−ＰＤＣＣＨの有無を検出するためのブラインドデコーディング（ｂｌｉｎｄ  ｄｅｃｏｄｉｎｇ）過程を行わなければならない。Ｅ−ＰＤＣＣＨは、既存のＰＤＣＣＨと同様のスケジューリング動作（すなわち、ＰＤＳＣＨ、ＰＵＳＣＨの制御）を行うが、ＲＲＨのようなノードに接続した端末の個数が増加すると、より多い個数のＥ−ＰＤＣＣＨがＰＤＳＣＨ領域内に割り当てられるため、端末が行うべきブラインドデコーディングの回数が増加し、複雑度が増加することがある。
【００７０】
本発明では、Ｅ−ＰＤＣＣＨを伝送する時、より高いダイバーシティ利得が得られる多重化方式を提案する。Ｅ−ＰＤＣＣＨは、ＰＤＣＣＨに続く（データ領域の）ＯＦＤＭシンボルで伝送される。したがって、制御チャネルを早期にデコーディングした後データチャネルデコーディングを行うには、Ｅ−ＰＤＣＣＨを、データ領域の前の一部シンボルでのみ伝送されるように規定すればよい。しかし、データチャネルデコーディングの時間に問題がない場合であれば、全体シンボル或いは後の一部シンボルを用いてＥ−ＰＤＣＣＨを伝送してもよいことは勿論である。一方、ＰＤＳＣＨと同様に、Ｅ−ＰＤＣＣＨは、一部のＰＲＢを集めた（ａｇｇｒｅｇａｔｅ）形態で伝送されることで、周波数領域で選択的なリソースのみを占めることが好ましいが、これはＰＤＳＣＨと問題なく多重化可能であるからである。
【００７１】
図９は、本発明の実施例に係るＥ−ＰＤＣＣＨのアグリゲーションレベル概念を説明するための図である。
【００７２】
図９を参照すると、Ｅ−ＰＤＣＣＨのアグリゲーションレベルが低い（ここで、Ｅ−ＰＤＣＣＨのアグリゲーションレベルは、単一のＥ−ＰＤＣＣＨが占めるＰＲＢの個数を意味してよい）と、充分な周波数ダイバーシティ利得が得られない場合がある。例えば、図９の（ａ）のように、アグリゲーションレベルが１の場合には、Ｅ−ＰＤＣＣＨは、１２個の隣接した副搬送波で構成された１つのＰＲＢでのみ伝送されるため、該ＰＲＢが瞬間的に悪いチャネル状態になると、全体制御チャネルの受信が困難となる。
【００７３】
これを解決するために、本発明では、図９の（ｂ）のように、単一のＰＲＢ内の一部リソースのみを用いてＥ−ＰＤＣＣＨを伝送するものの、足りないリソースは、充分に離隔されたＰＲＢのリソースの一部を使うようにすることによって、図９の（ａ）と同じ量のリソースでＥ−ＰＤＣＣＨを伝送しながらも、周波数ダイバーシティ利得が得られるようにする。さらに、１つのＰＲＢ内でＥ−ＰＤＣＣＨが占める部分は様々に定義してもよい。例えば、図９の（ｂ）とは違い、１つのＰＲＢにおける奇数の副搬送波或いは偶数の副搬送波を１つのＥ−ＰＤＣＣＨのために使うように定義してもよい。
【００７４】
一方、本発明の実施例によれば、Ｅ−ＰＤＣＣＨは、１つのＰＲＢに属するＲＥを複数のサブセット（Ｅ−ＲＥＧともいう。）に分け、１個のサブセットをＥ−ＰＤＣＣＨリソース割当のための基本単位として伝送されてもよい。すなわち、１つ以上のサブセット（又は、１つ以上のＥ−ＲＥＧ）にＥ−ＣＣＥを割り当て、Ｅ−ＣＣＥをアグリゲーションレベル分だけ集めてＥ−ＰＤＣＣＨを伝送してもよい。例えば、アグリゲーションレベルが１、２、４、８であるＥ−ＰＤＣＣＨのそれぞれは、Ｅ−ＣＣＥ  １個、２個、４個、８個を使用して伝送される。
【００７５】
本発明の実施例によれば、Ｅ−ＰＤＣＣＨは、１つのＰＲＢ内でＣＲＳ、ＤＭ−ＲＳ又はＣＳＩ−ＲＳのために割り当てられたＲＥ及び制御信号伝送領域（ＰＤＣＣＨ）以外のＲＥに割り当てられることが好ましい。
【００７６】
図１０及び図１１は、本発明の実施例に係る端末が検索領域（Ｓｅａｒｃｈ  Ｓｐａｃｅ）を設定するために１つ以上のサブセットを選択することを説明するための図である。以下では、図１０に示すように、１つのＲＢ内におけるＲＥが４個のサブセット（それぞれ、サブセットＡ、サブセットＢ、サブセットＣ及びサブセットＤという）に区別されるという仮定の下に本発明の具体的な動作を説明するが、本発明の提案は、１  ＲＢにおけるＲＥを少なくとも１つのサブセットに区別するいかなる場合にも適用可能であることは明らかである。また、同図においてＣＲＳ（Ｃｅｌｌ−Ｓｐｅｃｉｆｉｃ  ＲＳ）やＤＭ−ＲＳ（ＤｅＭｏｄｕｌａｔｉｏｎ−ＲＳ）が占めるＲＥの位置は一例に過ぎず、ｅＮＢのサブフレーム設定及びＰＤＳＣＨ伝送ランクに従ってその数と位置が変わってもよい。
【００７７】
例えば、端末は、１つのＲＢ内で総４個のサブセット（以下、サブセットＡ、サブセットＢ、サブセットＣ及びサブセットＤと表記する）のうち、サブセットＡのみを選択したり、サブセットＡ及びＢを選択したりして検索領域を設定することがある。
【００７８】
図１０及び図１１で、それぞれのＲＢ（例えば、ＶＲＢ（Ｖｉｒｔｕａｌ  Ｒｅｓｏｕｒｃｅ  Ｂｌｏｃｋ）、ＰＲＢ（Ｐｈｙｓｉｃａｌ  Ｒｅｓｏｕｒｃｅ  Ｂｌｏｃｋ）、又はＰＲＢ対（ｐａｉｒ））が複数のサブセットに分割され、特に、それぞれのＲＢは、アンテナポート（Ａｎｔｅｎｎａ  Ｐｏｒｔ）で定義される端末特定参照信号を基準にして複数のサブセットに分割されたと仮定する。
【００７９】
図１０で、単一のＲＢは、４個のアンテナポート（＃７、＃８、＃９及び＃１０）に対応する４個のサブセットに区別される。図１０の例では、端末のためのサブセットとして、アンテナポート＃７に対応するサブセットＡが選択されたと仮定し、この場合、ブラインドデコーディングのための検索領域は、ＲＢ＃０、ＲＢ＃１、ＲＢ＃２及びＲＢ＃３のそれぞれに存在するサブセットＡの集合が検索領域（Ｓｅａｒｃｈ  Ｓｐａｃｅ）として設定される。
【００８０】
図１０に示すＥ−ＰＤＣＣＨ伝送は、小さいアグリゲーションレベルで周波数領域においてダイバーシティ利得を得るのに有効である反面、多数のＲＢに影響を及ぼすから、その他の目的には用いられないことが好ましい。そこで、本発明では、サブセットベースのＥ−ＰＤＣＣＨの伝送を特定の場合に制限することが好ましい。すなわち、低いアグリゲーションレベルでは、各ＰＲＢにおいて一つずつサブセットを選択することで、周波数ダイバーシティを得るようにして伝送する反面、高いアグリゲーションレベルでは、各ＰＲＢにおいて複数のサブセットを選択することで、当該Ｅ−ＰＤＣＣＨが伝送されるＰＲＢの個数が過度に増加しないように制限する。
【００８１】
図１１では、図１０と違い、ビームフォーミング（Ｂｅａｍｆｏｒｍｉｎｇ）に特化した検索領域を設定するために、ＲＢのそれぞれにおいて複数のサブセットを選択する場合を示している。複数の端末に対するアンテナポート＃７、＃８、＃９及び＃１０に対応するように、個別ＲＢ内に存在するＲＥが区別され、区別された領域をそれぞれサブセットＡ、サブセットＢ、サブセットＣ及びサブセットＤとしよう。この場合、ブラインドデコーディングのための検索領域は、アンテナポート＃７及び＃８に対応する個別ブロックのサブセットＡとサブセットＢが選択されて設定されればよい。
【００８２】
図１２は、本発明の一実施例によってアグリゲーションレベル（Ａｇｇｒｅｇａｔｉｏｎ  ｌｅｖｅｌ）に基づいて端末で設定した検索領域（Ｓｅａｒｃｈ  Ｓｐａｃｅ）をブラインドデコーディングするための参考図である。本発明の実施例によれば、少なくとも１つのＲＢに割り当てられた少なくとも１つのサブセットで検索領域（Ｓｅａｒｃｈ  Ｓｐａｃｅ）が構成される。
【００８３】
すなわち、端末は、少なくとも１つのＲＢに存在する端末のためのサブセットを選択して検索領域（Ｓｅａｒｃｈ  ｓｐａｃｅ）を設定した後、アグリゲーションレベルによってブラインドデコーディング（Ｂｌｉｎｄ  Ｄｅｃｏｄｉｎｇ）を行う。すなわち、アグリゲーションレベルが１、２、４、８であるＥ−ＰＤＣＣＨに対する検索領域はそれぞれ１、２、４、８個のＥ−ＣＣＥを取得して構成される。
【００８４】
例えば、図１０では、個別ＲＢが総４個のサブセットに分割され、各ＲＢのサブセットＡに端末（ＵＥ）に対するＥ−ＣＣＥが割り当てられており、分割されたサブセットのデコーディングのために使われる端末特定参照信号（ＤＭ−ＲＳ）が既に定義（ｐｒｅｄｅｆｉｎｅ）されていると仮定する。
【００８５】
端末は、既に定義された端末特定参照信号（ＤＭ−ＲＳ）を用いて、個別ブロックにおいて区別されているサブセットＡの集合を検索領域と設定し、ブラインドデコーディングを行う。すなわち、個別ＲＢのサブセットＡに割り当てられた総４個のＣＣＥを取得し、図１２のように総４個のＥ−ＣＣＥで構成された検索領域（Ｓｅａｒｃｈ  Ｓｐａｃｅ）に基づいて、アグリゲーションレベル１に対して４回（Ｅ−ＣＣＥ＃０、＃１、＃２、＃３）、アグリゲーションレベル２に対して２回｛（Ｅ−ＣＣＥ＃０、＃１）、（Ｅ−ＣＣＥ＃２、＃３）｝、アグリゲーションレベル４に対して１回｛（Ｅ−ＣＣＥ＃０、＃１、＃２、＃３）｝と、総７回のブラインドデコーディングを行えばよい。
【００８６】
他の例として、図１１のように、個別ＲＢ内に複数のサブセットで検索領域が構成された場合を仮定する。端末は、個別ＲＢ内のサブセットＡ及びサブセットＢからそれぞれＥ−ＣＣＥを取得し、与えられたＮ個のＲＢに対して２＊Ｎ個のＥ−ＣＣＥを取得する。個別ＲＢに対して２個のＥ−ＣＣＥが含まれた場合、アグリゲーションレベルは１、２、４になればよく、Ｅ−ＰＤＣＣＨに対する検索領域はそれぞれ、２、４、８個のＥ−ＣＣＥを取得して構成される。
【００８７】
すなわち、図１１を参照すると、個別ＲＢが総４個のサブセットに分割され、各ＲＢのサブセットＡ及びサブセットＢに端末（ＵＥ）に対するＥ−ＣＣＥが割り当てられており、分割されたサブセットのデコーディングのために使われる端末特定参照信号（ＤＭ−ＲＳ）が既に定義（ｐｒｅｄｅｆｉｎｅ）されていると仮定する。したがって、図１１では、端末は、既に定義された端末特定参照信号（ＤＭ−ＲＳ）を用いて、サブセットＡ及びサブセットＢからなるサブセットの集合に対するブラインドデコーディングを行う。すなわち、ＲＢ＃０、ＲＢ＃１のサブセットＡ及びサブセットＢに割り当てられた総４個のＣＣＥを取得し、図１３のように総４個Ｅ−ＣＣＥで構成された検索領域（Ｓｅａｒｃｈ  Ｓｐａｃｅ）に基づいて、アグリゲーションレベル１に対して４回（Ｅ−ＣＣＥ＃０、＃１、＃２、＃３）、アグリゲーションレベル２に対して２回｛（Ｅ−ＣＣＥ＃０、＃１）、（Ｅ−ＣＣＥ＃２、＃３）｝、アグリゲーションレベル４に対して１回｛（Ｅ−ＣＣＥ＃０、＃１、＃２、＃３）｝と、総７回のブラインドデコーディングを行えばよい。
【００８８】
図１３は、本発明に実施例に適用可能な基地局及びユーザー機器を例示する図である。無線通信システムにリレーが含まれる場合、バックホールリンクにおいて通信は基地局とリレー間に行われ、アクセスリンクにおいて通信はリレーとユーザー機器間に行われる。そのため、図面に例示された基地局又はユーザー機器は状況に応じてリレーに取り替わってもよい。
【００８９】
図１３を参照すると、無線通信システムは、基地局（ＢＳ）１１０、及びユーザー機器（ＵＥ）１２０を含む。基地局１１０は、プロセッサ１１２、メモリー１１４及び無線周波数（Ｒａｄｉｏ  Ｆｒｅｑｕｅｎｃｙ、ＲＦ）ユニット１１６を備える。プロセッサ１１２は、本発明で提案した手順及び／又は方法を実現するように構成されるとよい。メモリー１１４は、プロセッサ１１２に接続し、プロセッサ１１２の動作に関連した様々な情報を記憶する。ＲＦユニット１１６は、プロセッサ１１２に接続し、無線信号を送信及び／又は受信する。端末１２０は、プロセッサ１２２、メモリー１２４及びＲＦユニット１２６を備える。プロセッサ１２２は、本発明で提案した手順及び／又は方法を実現するように構成されるとよい。メモリー１２４は、プロセッサ１２２に接続し、プロセッサ１２２の動作に関連した様々な情報を記憶する。ＲＦユニット１２６は、プロセッサ１２２に接続し、無線信号を送信及び／又は受信する。基地局１１０及び／又は端末１２０は、単一アンテナ又は多重アンテナを有する。
【００９０】
以上説明してきた実施例は、本発明の構成要素及び特徴を所定形態に結合したものである。各構成要素又は特徴は、別の明示的な言及がない限り、選択的なものとして考慮しなければならない。各構成要素又は特徴は、他の構成要素や特徴と結合しない形態で実施してもよく、一部の構成要素及び／又は特徴を結合して本発明の実施例を構成してもよい。本発明の実施例で説明される動作の順序は変更可能である。ある実施例の一部構成や特徴は、別の実施例に含まれることもあり、別の実施例の対応する構成又は特徴に取って代わることもある。特許請求の範囲において明示的な引用関係にない請求項を結合して実施例を構成してもよく、出願後の補正により新しい請求項として含めてもよいことは明らかである。
【００９１】
本発明に係る実施例は様々な手段、例えば、ハードウェア、ファームウェア（ｆｉｒｍｗａｒｅ）、ソフトウェア又はそれらの結合などにより実現されるとよい。ハードウェアによる実現において、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより実現されるとよい。
【００９２】
ファームウェアやソフトウェアによる実現において、本発明の一実施例は、以上で説明された機能又は動作を実行するモジュール、手順、関数などの形態で実現されるとよい。ソフトウェアコードは、メモリユニットに記憶されて、プロセッサにより駆動すればよい。メモリユニットは、プロセッサの内部又は外部に設けられ、既に公知の様々な手段によりプロセッサとデータを授受すればよい。
【００９３】
本発明は、本発明の特徴から逸脱しない範囲で別の特定の形態に具体化されてもよいことは当業者にとって自明である。したがって、上記の詳細な説明は、いずれの面においても制限的に解釈してはならず、例示的なものとして考慮しなければならない。本発明の範囲は、添付の請求項の合理的な解釈により決定されるべきであり、本発明の等価的範囲内における変更はいずれも本発明の範囲に含まれる。
【産業上の利用可能性】
【００９４】
上述したような無線通信システムにおいて基地局がダウンリンク制御チャネルを送信する方法及びそのための装置は、３ＧＰＰ  ＬＴＥシステムに適用される例を中心にして説明したが、３ＧＰＰ  ＬＴＥシステムの他、様々な無線通信システムにも適用可能である。
（項目１）
無線通信システムにおいて端末がダウンリンク制御チャネルを受信する方法であって、
前記端末に割り当てられた少なくとも１つのリソースブロックのそれぞれを、既に設定された個数のサブセットに区別することと、
前記少なくとも１つのリソースブロックのそれぞれにおいて前記端末のための１つ以上のサブセットを選択することと、
前記選択されたサブセットの集合を前記端末のための検索領域（Ｓｅａｒｃｈ  Ｓｐａｃｅ）と設定することと、
前記検索領域に対してブラインドデコーディング（Ｂｌｉｎｄ  Ｄｅｃｏｄｉｎｇ）を行って前記ダウンリンク制御チャネルを検出することと、
を含み、
前記既に設定された個数のサブセットのそれぞれは、前記それぞれのリソースブロック内で相互に異なったアンテナポートで定義される端末特定参照信号（ＤＭ−ＲＳ）によって復調されることを特徴とする、ダウンリンク制御チャネル受信方法。
（項目２）
前記選択されたサブセットの集合は、同一のアンテナポートによって定義される端末特定参照信号によって復調されるサブセットで構成されることを特徴とする、項目１に記載のダウンリンク制御チャネル受信方法。
（項目３）
前記選択されたサブセットの集合は、前記端末のために複数の相互に異なったアンテナポートで定義される端末特定参照信号によって復調されるサブセットで構成されることを特徴とする、項目１に記載のダウンリンク制御チャネル受信方法。
（項目４）
前記ダウンリンク制御チャネルのアグリゲーションレベルは、１又は２であることを特徴とする、項目１に記載のダウンリンク制御チャネル受信方法。
（項目５）
無線通信システムにおいてダウンリンク制御チャネルを受信する端末装置であって、
無線周波数（Ｒａｄｉｏ  Ｆｒｅｑｕｅｎｃｙ：ＲＦ）ユニットと、
プロセッサと、
を備え、
前記プロセッサは、前記端末に割り当てられた少なくとも１つのリソースブロックのそれぞれを、既に設定された個数のサブセットに区別し、前記少なくとも１つのリソースブロックのそれぞれにおいて前記端末のための１つ以上のサブセットを選択し、前記選択されたサブセットの集合を前記端末のための検索領域（Ｓｅａｒｃｈ  Ｓｐａｃｅ）と設定し、前記検索領域に対してブラインドデコーディング（Ｂｌｉｎｄ  Ｄｅｃｏｄｉｎｇ）を行って前記ダウンリンク制御チャネルを検出し、
前記既に設定された個数のサブセットのそれぞれは、前記それぞれのリソースブロック内で相互に異なったアンテナポートで定義される端末特定参照信号（ＤＭ−ＲＳ）によって復調されることを特徴とする、端末装置。
（項目６）
前記選択されたサブセットの集合は、同一のアンテナポートによって定義される端末特定参照信号によって復調されるサブセットで構成されることを特徴とする、項目５に記載の端末装置。
（項目７）
前記選択されたサブセットの集合は、前記端末のために複数の相互に異なったアンテナポートで定義される端末特定参照信号によって復調されるサブセットで構成されることを特徴とする、項目５に記載の端末装置。
（項目８）
前記ダウンリンク制御チャネルのアグリゲーションレベルは、１又は２であることを特徴とする、項目５に記載の端末装置。
【図４】
2015507858.tif 000019
【図１】
2015507858.tif 000020
【図２】
2015507858.tif 000021
【図３】
2015507858.tif 000022
【図５】
2015507858.tif 000023
【図６】
2015507858.tif 000024
【図７】
2015507858.tif 000025
【図８】
2015507858.tif 000026
【図９】
2015507858.tif 000027
【図１０】
2015507858.tif 000028
【図１１】
2015507858.tif 000029
【図１２】
2015507858.tif 000030
【図１３】
2015507858.tif 000031
【手続補正書】
【提出日】平成26年6月3日(2014.6.3)
【手続補正１】
【補正対象書類名】特許請求の範囲
【補正対象項目名】全文
【補正方法】変更
【補正の内容】
【特許請求の範囲】
【請求項１】
無線通信システムにおいて基地局でタウンリンク制御チャネルを送信する方法であって、前記方法は、
リソースブロックのそれぞれにおいて複数の向上した制御チャネル要素（ＥＣＣＥ）を構成することであって、前記複数のＥＣＣＥのそれぞれは、異なったアンテナポートに関連付けられる、ことと、
前記複数のＥＣＣＥのうちの一つ以上のＥＣＣＥを用いて前記ダウンリンク制御チャネルを端末に送信することであって、前記一つ以上のＥＣＣＥは、同一のアンテナポートに対応する、ことと
を含む、方法。
【請求項２】
前記同一のアンテナポートは、既に設定された４個のアンテナポートのうちの一つである、請求項１に記載の方法。
【請求項３】
前記異なったアンテナポートは、変調参照信号（ＤＭ−ＲＳ）との関連付けのために構成される、請求項１に記載の方法。
【請求項４】
前記複数のＥＣＣＥの個数は、アグリゲーションレベルによって決定される、請求項１に記載の方法。
【請求項５】
無線通信システムにおいて端末によってタウンリンク制御チャネルを受信する方法であって、前記方法は、
前記ダウンリンク制御チャネルのための少なくとも一つのリソースブロックを構成することと、
一つ以上の向上した制御チャネル要素（ＥＣＣＥ）に基づいて少なくとも一つのリソースブロックをモニタリングすることによって前記ダウンリンク制御チャネルを受信することと
を含み、
前記一つ以上のＥＣＣＥは、単一のアンテナポートに関連付けられる、方法。
【請求項６】
前記単一のアンテナポートは、既に設定された４個のアンテナポートのうちの一つである、請求項５に記載の方法。
【請求項７】
前記異なったアンテナポートは、変調参照信号（ＤＭ−ＲＳ）との関連付けのために構成される、請求項５に記載の方法。
【請求項８】
複数のＥＣＣＥの個数は、アグリゲーションレベルによって決定される、請求項５に記載の方法。
【手続補正２】
【補正対象書類名】明細書
【補正対象項目名】００１１
【補正方法】変更
【補正の内容】
【００１１】
なお、前記ダウンリンク制御チャネルのアグリゲーションレベルは、１又は２であることを特徴とする。
本願明細書は、例えば、以下の項目も提供する。
（項目１）
無線通信システムにおいて基地局がタウンリンク制御チャネルを送信する方法であって、
それぞれ異なったポートに関連付いた複数の向上した制御チャネル要素（ＥＮＨＡＮＣＥＤ  Ｃｏｎｔｒｏｌ  Ｃｈａｎｎｅｌ  Ｅｌｅｍｅｎｔｓ、ＥＣＣＥｓ）を少なくとも一つのリソースブロックに構成するステップと、
前記複数の向上した制御チャネル要素のうち、同一のアンテナポートに対応する一つ以上の向上した制御チャネル要素を用いてダウンリンク制御チャネルを送信するステップと、
を含む、ダウンリンク制御チャネル送信方法。
（項目２）
前記同一のアンテナポートは、既に設定された４個のアンテナポートのいずれか一つであることを特徴とする、項目１に記載のダウンリンク制御チャネル送信方法。
（項目３）
前記アンテナポートは変調参照信号（Ｄｅｍｏｄｕｌａｔｉｏｎ  Ｒｅｆｅｒｅｎｃｅ  Ｓｉｇｎａｌ、ＤＭ−ＲＳ）と関連づくように設定されたことを特徴とする、項目１に記載のダウンリンク制御チャネル送信方法。
（項目４）
前記複数の向上した制御チャネル要素の個数は、アグリゲーションレベルによって決定されることを特徴とする、項目１に記載のダウンリンク制御チャネル送信方法。
（項目５）
無線通信システムにおいて基地局がタウンリンク制御チャネルを受信する方法であって、
ダウンリンク制御チャネルのための少なくとも一つのリソースブロックを構成するステップと、
一つ以上の向上した制御チャネル要素（Ｅｎｈａｎｃｅｄ  Ｃｏｎｔｒｏｌ  Ｃｈａｎｎｅｌ  Ｅｌｅｍｅｎｔｓ、ＥＣＣＥｓ）に基づく少なくとも一つのリソースブロックをモニタリングしてダウンリンク制御チャネルを受信するステップと、
を含み、
前記一つ以上の向上した制御チャネル要素は、単一のアンテナポートに関連付いていることを特徴とする、タウンリンク制御チャネル受信方法。
（項目６）
前記単一のアンテナポートは、既に設定された４個のアンテナポートのいずれか一つであることを特徴とする、項目５に記載のダウンリンク制御チャネル受信方法。
（項目７）
前記アンテナポートは変調参照信号（Ｄｅｍｏｄｕｌａｔｉｏｎ  Ｒｅｆｅｒｅｎｃｅ
Ｓｉｇｎａｌ）と関連付くように設定されたことを特徴とする、項目５に記載のダウンリンク制御チャネル受信方法。
（項目８）
前記複数の向上した制御チャネル要素の個数は、アグリゲーションレベルによって決定されることを特徴とする、項目５に記載のダウンリンク制御チャネル受信方法。
【手続補正３】
【補正対象書類名】明細書
【補正対象項目名】００１４
【補正方法】変更
【補正の内容】
【００１４】
本明細書に添付している図面は、本発明に関する理解を提供するためのもので、本発明の様々な実施の形態を示し、明細書の記載と共に本発明の原理を説明するためのものである。
【図１】無線通信システムの一例としてＥ−ＵＭＴＳ網構造を概略的に示す図である。
【図２】３ＧＰＰ無線接続網規格に基づく端末とＥ−ＵＴＲＡＮとの間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザープレーン（Ｕｓｅｒ  Ｐｌａｎｅ）の構造を示す図である。
【図３】３ＧＰＰシステムに用いられる物理チャネル及びこれらの物理チャネルを用いた一般の信号伝送方法を説明するための図である。
【図４】多重アンテナ通信システムの構成図である。
【図５】ＬＴＥシステムで用いられるダウンリンク無線フレームの構造を例示する図である。
【図６】ＬＴＥシステムにおいてダウンリンク制御チャネルを構成するのに用いられるリソース単位を示す図である。
【図７】次世代通信システムにおいて多重ノードシステムを例示する図である。
【図８】Ｅ−ＰＤＣＣＨ、及びＥ−ＰＤＣＣＨによってスケジューリングされるＰＤＳＣＨを例示する図である。
【図９】本発明の実施例に係るＥ−ＰＤＣＣＨのアグリゲーションレベル（Ａｇｇｒｅｇａｔｉｏｎ  ｌｅｖｅｌ）の概念を説明するための図である。
【図１０】本発明の一実施例に係る少なくとも１つのＰＲＢ内で特定端末参照信号に対応するサブセットを検索領域として設定することを説明するための図である。
【図１１】本発明の一実施例に係る少なくとも１つのＰＲＢ内で特定端末参照信号に対応するサブセットを検索領域として設定することを説明するための図である。
【図１２】本発明の一実施例によってアグリゲーションレベルに基づいて端末で構成する検索領域（Ｓｅａｒｃｈ  Ｓｐａｃｅ）を説明するための参考図である。
【図１３】本発明の実施例に適用可能な基地局及び端末を例示する図である。
【手続補正４】
【補正対象書類名】明細書
【補正対象項目名】００８７
【補正方法】変更
【補正の内容】
【００８７】
すなわち、図１１を参照すると、個別ＲＢが総４個のサブセットに分割され、各ＲＢのサブセットＡ及びサブセットＢに端末（ＵＥ）に対するＥ−ＣＣＥが割り当てられており、分割されたサブセットのデコーディングのために使われる端末特定参照信号（ＤＭ−ＲＳ）が既に定義（ｐｒｅｄｅｆｉｎｅ）されていると仮定する。したがって、図１１では、端末は、既に定義された端末特定参照信号（ＤＭ−ＲＳ）を用いて、サブセットＡ及びサブセットＢからなるサブセットの集合に対するブラインドデコーディングを行う。すなわち、ＲＢ＃０、ＲＢ＃１のサブセットＡ及びサブセットＢに割り当てられた総４個のＣＣＥを取得し、図１２のように総４個Ｅ−ＣＣＥで構成された検索領域（Ｓｅａｒｃｈ  Ｓｐａｃｅ）に基づいて、アグリゲーションレベル１に対して４回（Ｅ−ＣＣＥ＃０、＃１、＃２、＃３）、アグリゲーションレベル２に対して２回｛（Ｅ−ＣＣＥ＃０、＃１）、（Ｅ−ＣＣＥ＃２、＃３）｝、アグリゲーションレベル４に対して１回｛（Ｅ−ＣＣＥ＃０、＃１、＃２、＃３）｝と、総７回のブラインドデコーディングを行えばよい。
【国際調査報告】
2015507858.tif 000032
2015507858.tif 000033
2015507858.tif 000034
2015507858.tif 000035
2015507858.tif 000036
2015507858.tif 000037
2015507858.tif 000038
2015507858.tif 000039